(57)【要約】【課題】簡単な操作で位置情報の精度を落として画像データを登録すること。【解決手段】本発明の位置情報登録装置は、画像データの位置情報を登録する位置情報登録装置であって、地図データを保持する地図データ保持部と、前記地図データ上の位置を指定する指定手段と、前記指定手段により指定された位置を示す位置情報を、前記画像データの位置情報として登録する画像データ管理部と、を備える。【選択図】図１
2013084104.tif 000002
【特許請求の範囲】
【請求項１】
画像データの位置情報を登録する位置情報登録装置であって、
地図データを保持する地図データ保持部と、
前記地図データ上の位置を指定する指定手段と、
前記指定手段により指定された位置を示す位置情報を、前記画像データの位置情報として登録する画像データ管理部と、
を備える位置情報登録装置。
【請求項２】
一又は複数のランドマークの位置情報を保持する保持部と、
前記指定手段により指定された位置を示す位置情報に対応した前記ランドマークの位置情報を前記保持部から抽出する抽出部と、を備え、
前記画像データ管理部は、前記抽出部において抽出した前記ランドマークの位置情報を、前記画像データの位置情報として登録する請求項１記載の位置情報登録装置。
【請求項３】
画像データの位置情報を登録する位置情報登録装置であって、
対象物を撮像する撮像部と、
ＧＰＳ装置により自装置の現在位置を示す位置情報を算出するＧＰＳ処理部と、
一又は複数のランドマークの位置情報を保持する保持部と、
前記ＧＰＳ処理部により算出された位置情報に対応した前記ランドマークの位置情報を前記保持部から抽出する抽出部と、
前記抽出部において抽出した前記ランドマークの位置情報を、前記画像データの位置情報として登録する画像データ管理部と、
を備える位置情報登録装置。
【請求項４】
外部との通信処理を行う通信処理部と、
前記通信処理部を介して、前記画像データを外部に送信するアプリケーション部と、を備え、
前記アプリケーション部は、前記画像データを送信する前に、当該画像データに位置情報が登録されていることを示す表示処理を行う請求項３記載の位置情報登録装置。
【請求項５】
請求項１から請求項４のいずれか一項に記載の位置情報登録装置を有する電子機器。
【請求項６】
地図データ上の位置を指定する指定ステップと、
前記指定ステップにおいて指定された位置を示す位置情報を、画像データの位置情報として登録する登録ステップと、
からなる位置情報登録方法。
【請求項７】
前記登録ステップは、前記指定ステップにおいて指定された位置を示す位置情報に対応したランドマークの位置情報を、画像データの位置情報として登録する請求項６記載の位置情報登録方法。
【発明の詳細な説明】
【技術分野】
【０００１】
本発明は、画像データを位置情報と共に登録する位置情報登録装置、位置情報登録方法および電子機器に関する。
【背景技術】
【０００２】
特許文献１では、撮影場所の記録機能を持たないデジタルカメラで、撮影画像の撮影場所を画像データに登録する方法が開示されている。具体的には、撮影場所を含むエリアマップで指定したポイントが撮影画像の撮影場所として画像データに登録される。
【０００３】
特許文献２では、ＧＰＳ機能を搭載していない撮影入力手段に対して、ＧＰＳ情報を時間と同時に取得できる外部の座標情報記録手段から、撮影時間とＧＰＳ情報取得時刻とを対比して撮影時間のＧＰＳ情報を記録する画像管理装置を開示する。
【０００４】
特許文献３では、外部メディアが挿入されると、ＧＰＳ情報を含む画像データについて、このＧＰＳ情報に基づき位置情報データベースから地名を取得して、この地名を画像データに登録する装置が開示されている。一方、ＧＰＳ情報がない画像データについて、この装置は撮影日時から同じ撮影日時のＧＰＳ情報を取得すると同時に地名情報を取得し、この地名情報を画像データに登録する。
【先行技術文献】
【特許文献】
【０００５】
【特許文献１】特開２００１−３６８４０号公報
【特許文献２】特開２００１−２８７２８号公報
【特許文献３】特開２００４−３５６６９４号公報
【発明の概要】
【発明が解決しようとする課題】
【０００６】
しかし、特許文献１に記載の先行例では、指示入力手段により指示された位置情報が撮影場所情報としてそのまま登録される。そのため、位置情報の精度を変更することはできない。また、特許文献２に記載の先行例では、ＧＰＳ情報がない画像データに対して、撮影時間に近い時間に取得したＧＰＳ情報を参照して画像データの位置情報を登録する。そのため、画像を実際に取得した位置のＧＰＳ情報を利用できない場合がある。
【０００７】
さらに、特許文献３に記載の先行例では、ＧＰＳ情報がない画像データについて、ＧＰＳ情報のある画像データのＧＰＳ情報を撮影日時に基づき参照し、この参照したＧＰＳ情報に基づき画像データの位置情報を登録する。そのため、特許文献３に記載の先行例では、画像データを実際に取得した位置のＧＰＳ情報を利用できない場合がある。
【０００８】
本発明の目的は、簡単な操作で位置情報の精度を落として画像データを登録することができる位置情報登録装置を提供することである。
【課題を解決するための手段】
【０００９】
本発明の一態様として、画像データの位置情報を登録する位置情報登録装置は、地図データを保持する地図データ保持部と、前記地図データ上の位置を指定する指定手段と、前記指定手段により指定された位置を示す位置情報を、前記画像データの位置情報として登録する画像データ管理部と、を備える。
【００１０】
本発明の一態様として、上記位置情報登録装置は、一又は複数のランドマークの位置情報を保持する保持部と、前記指定手段により指定された位置を示す位置情報に対応した前記ランドマークの位置情報を前記保持部から抽出する抽出部と、を備え、前記画像データ管理部は、前記抽出部において抽出した前記ランドマークの位置情報を、前記画像データの位置情報として登録する。
【００１１】
本発明の一態様として、画像データの位置情報を登録する位置情報登録装置は、対象物を撮像する撮像部と、ＧＰＳ装置により自装置の現在位置を示す位置情報を算出するＧＰＳ処理部と、一又は複数のランドマークの位置情報を保持する保持部と、前記ＧＰＳ処理部により算出された位置情報に対応した前記ランドマークの位置情報を前記保持部から抽出する抽出部と、前記抽出部において抽出した前記ランドマークの位置情報を、前記画像データの位置情報として登録する画像データ管理部と、を備える。
【００１２】
本発明の一態様として、上記位置情報登録装置は、外部との通信処理を行う通信処理部と、前記通信処理部を介して、前記画像データを外部に送信するアプリケーション部と、を備え、前記アプリケーション部は、前記画像データを送信する前に、当該画像データに位置情報が登録されていることを示す表示処理を行う。
【００１３】
本発明の一態様として、電子機器は、上記位置情報登録装置を有する。
【００１４】
本発明の一態様として、位置情報登録方法は、地図データ上の位置を指定する指定ステップと、前記指定ステップにおいて指定された位置を示す位置情報を、画像データの位置情報として登録する登録ステップと、からなる。
【００１５】
本発明の一態様として、上記位置情報登録方法では、前記登録ステップは、前記指定ステップにおいて指定された位置を示す位置情報に対応したランドマークの位置情報を、画像データの位置情報として登録する。
【発明の効果】
【００１６】
本発明に係る位置情報登録装置、位置情報登録方法および電子機器によれば、簡単な操作で位置情報の精度を落として画像データを登録することができる。
【図面の簡単な説明】
【００１７】
【図１】実施の形態１の位置情報登録装置１００の構成を示すブロック図
【図２】位置情報登録方法を説明するための図
【図３】図２における位置情報登録方法を説明するための図（ａ）、（ｂ）
【図４】位置情報登録方法（ユーザ選択式）を説明するための図
【図５】位置情報登録装置１００の動作フローを説明するための図
【図６】実施の形態１の変形例である位置情報登録装置８００の構成を示すブロック図
【図７】図６に示す位置情報登録装置８００の動作フロー
【図８】実施の形態２の位置情報登録装置１０００の構成を示すブロック図
【図９】撮像位置情報登録画面１を説明するための図
【図１０】撮像位置情報登録画面２（ユーザ選択式）を説明するための図
【図１１】位置情報登録装置１０００の動作フローを説明するための図
【図１２】実施の形態２の変形例である位置情報登録装置１３００の構成を示すブロック図
【図１３】アプリケーション部１３０１の動作を説明するための図
【図１４】位置情報登録装置１３００の動作フローを説明するための図
【発明を実施するための形態】
【００１８】
以下、本発明の実施の形態について、図面を参照して説明する。
【００１９】
（実施の形態１）
図１は、本発明の実施の形態１に係る位置情報登録装置１００のブロック図である。図１に示す位置情報登録装置１００は、画像データ管理部１０１と、位置情報処理部１０３と、表示エリア選択部１０５と、地図データ記憶部１０９と、位置情報記憶部１１１と、表示部１１３とを備える。
【００２０】
画像データ管理部１０１は、画像データおよびこの画像データに付随する情報の処理と管理を行う。画像データに付随する情報とは、たとえば、この画像データの位置情報を含むヘッダ情報である。画像データ管理部１０１は、このヘッダ情報の書き替え処理を行う。
【００２１】
また、画像データ管理部１０１は、画像データのヘッダ情報に、この画像データの位置情報が含まれているか否かを判断する。そして、画像データ管理部１０１は、画像データのヘッダ情報に画像データの位置情報が含まれている場合には、この画像データの位置情報を表示エリア選択部１０５へ出力する。
【００２２】
また、画像データ管理部１０１は、位置情報処理部１０３から入力された代替位置情報に基づき、この代替位置情報に関連付けられた画像データについて、その位置情報を代替位置情報に書き換えて、登録する。
【００２３】
位置情報処理部１０３は、後述する位置情報登録画面（図３、４参照）において、画像データのアイコンがドロップされた地図データ上の位置情報（経度および緯度）を算出する処理を実行する。
【００２４】
また、位置情報処理部１０３は、算出した画像データの位置情報（経度および緯度）に最も近いランドマークの位置情報を、この画像データの位置情報の替わりとなる代替位置情報として、位置情報記憶部１１１から抽出する処理を実行する。そして、位置情報処理部１０３は、この抽出した代替位置情報を画像データに関連づけて、画像データ管理部１０１へ出力する。
【００２５】
なお、代替位置情報は地図データ上のドロップ位置に一番近いランドマークの位置情報として説明したがこれに限らない。代替位置情報は、画像データのアイコンがドロップされた地図データ上の位置を示す位置情報（経度および緯度）でも良い。この場合、位置情報処理部１０３は、画像データのアイコンがドロップされた地図データ上の位置を示す位置情報を算出し、この算出された地図データ上の位置情報（経度および緯度）を位置情報記憶部１１１から抽出する処理を実行する。
【００２６】
また、算出した画像データの位置情報（経度および緯度）に近いランドマークが複数ある場合には、位置情報処理部１０３は、算出した画像データの位置情報（経度および緯度）に近い複数のランドマークの位置情報を、この画像データの位置情報の替わりとなる代替位置情報の候補として位置情報記憶部１１１から抽出する処理を実行しても良い。この場合には、位置情報処理部１０３は、位置情報登録画面（例えば、図４参照）において、画像データの位置情報の近傍に存在するこれら複数のランドマークの位置情報を、画像データの代替位置情報の候補として表示させるよう表示部１１３を制御する。
【００２７】
表示エリア選択部１０５は、登録済みの画像データの位置情報（又は代替位置情報）に基づき、表示部１１３に画像データの位置情報を表示するための地図表示エリアを算出し、地図データ記憶部１０９からこの地図表示エリアに対応する地図データを抽出する。この抽出された地図データは、表示部１１３に表示される。また、表示エリア選択部１０５は、ユーザのタッチパネル操作により、表示部１１３に表示された抽出済みの地図データの縮尺を変更する。
【００２８】
地図データ記憶部１０９は、地図データを保存する。
【００２９】
位置情報記憶部１１１は、一又は複数のランドマークの位置情報が保持される。ランドマークの位置情報（経度および緯度）は、画像データの位置情報の替わりとなる代替位置情報又は代替位置情報の候補となる。
【００３０】
表示部１１３は、例えばタッチパネルにより構成される。つまり表示部１１３は、ユーザのタッチパネル操作を受け付ける入力インターフェースの機能と、位置情報登録装置１００の各部で処理された画像データなどを表示する出力インターフェースの機能とを兼ねる。
【００３１】
また、表示部１１３は、表示エリア選択部１０５により地図データ記憶部１０９から抽出された地図データを表示する。
【００３２】
また、表示部１１３は、画像データの位置情報を登録するインターフェースを提供する。つまり、表示エリア選択部１０５により選択された地図データと同時に、画像データ管理部１０１が管理する画像データのアイコンをそのファイル名と共に一覧表示する（図２、図４参照）。そして、この画像データの一覧表示から、ユーザのタッチパネル操作（例えば、ドラッグ＆ドロップ）により選択された画像データのアイコンが、地図データ上にドロップされると、位置情報処理部１０３により、この画像データのアイコンがドロップされた地図データ上の位置情報（経度および緯度）が算出される。
【００３３】
また、表示部１１３は、位置情報処理部１０３の制御に基づき、画像データの位置情報（経度および緯度）の近傍に存在する複数のランドマークの位置情報を、この画像データの位置情報の替わりとなる代替位置情報の候補として表示する。
【００３４】
＜位置情報登録方法＞
図２、図３（ａ）、（ｂ）を参照して、画像データの位置情報に代替位置情報を登録する方法について説明する。図２に示す位置情報登録画面は表示部１１３の表示画面２０１である。表示画面２０１の左側には、エリア１の地図データ２０７と、このエリア１よりも狭範囲なエリア２を示す地図データ２０９が表示されている。表示画面２０１の右側には、画像データ１〜Ｎの各アイコンが画像データ１〜Ｎの各ファイル名と共に表示されている。
なお、図２、図３（ａ）、（ｂ）では、画像データ管理部１０１により、位置情報Ｌ２が画像データ２に登録済みであるとする。
なお、図２、図３（ａ）、（ｂ）では、位置情報Ｌ２が示す位置は、所定単位で区分されたエリアであるエリア２内に含まれている。また、このエリア２を含み、かつこのエリア２の所定単位よりも大きい所定単位で区分されたエリアであるエリア１は、表示エリア選択部１０５により、画像データ２の位置情報Ｌ２に基づいて地図データ記憶部１０９から抽出された地図表示エリアであるとする。
【００３５】
まず、図２に示すように、ユーザのタッチパネル操作（矢印Ｐ２）により、画像データ２のアイコンがエリア２の任意の位置にドラッグ＆ドロップされる。つまり、このユーザのタッチパネル操作を行う表示部１１３が指定手段として機能する。そして、画像データ２のアイコンが、エリア２の任意の位置にドラッグ＆ドロップされると、図３（ａ）に示すように、登録済みの画像データ２の位置情報Ｌ２に一番近い位置情報を有するランドマークＮ２の位置情報Ｍ２をこの画像データの位置情報として表示部１１３に表示する。
【００３６】
さらに、図３（ｂ）に示すように、画像データ２のアイコンがエリア２の任意の位置にドラッグ＆ドロップされた後、画像データ管理部１０１は、画像データ２のヘッダ情報に含まれる位置情報を書き換える。つまり、画像データ管理部１０１は、画像データ２のヘッダ情報に含まれていた位置情報Ｌ２を、この位置情報Ｌ２に一番近い位置に存在するランドマークＮ２の位置情報Ｍ２（代替位置情報）に書き換えて登録する。
【００３７】
上述のように、図１に示す位置情報登録装置１００では、（ａ）表示部１１３に表示された位置情報登録画面において、画像データの位置情報に基づき抽出された地図データ上で、ユーザが所定エリアの任意の位置でこの画像データをドラッグ＆ドロップし、（ｂ）地図データ上のドロップ位置に一番近いランドマークの位置情報をこの画像データの位置情報（代替位置情報）に登録する。したがって、本実施の形態に係る位置情報登録装置１００では、簡単なユーザ操作により、画像データの位置情報の精度を落として登録することができる。
【００３８】
なお、代替位置情報は地図データ上のドロップ位置に一番近いランドマークの位置情報として説明したがこれに限らない。ユーザがこの画像データを地図データ上でドロップした任意の位置を示す位置情報を、代替位置情報として画像データの位置情報に登録しても良い。これにより、簡単なユーザ操作により、画像データの位置情報の精度を落として登録することができる。
【００３９】
なお、図２、図３（ａ）、（ｂ）を参照して説明した位置情報登録方法では、エリア１が、表示エリア選択部１０５により、画像データ２の位置情報Ｌ２に基づいて地図データ記憶部１０９から抽出された地図表示エリアであったが、これに限らない。画像データ２のアイコンを所定のエリアにドラッグ＆ドロップする前に、この地図表示エリアをユーザのタッチパネル操作により拡大又は縮小表示しても良い。
【００４０】
＜位置情報登録方法（ユーザ選択式）＞
ここで、図２〜図３（ｂ）では、画像データの位置情報としてランドマークの位置情報（代替位置情報）を登録する方法について説明したが、これに限らない。本実施の形態では、ユーザのタッチパネル操作により、複数のランドマークの位置情報から選択された１つのランドマークの位置情報を代替位置情報として画像データの位置情報に登録しても良い。
【００４１】
そこで、図４を参照して、このユーザ選択式の位置情報登録方法について説明する。図４は位置情報登録画面（ユーザ選択方式）を示す。図４に示す位置情報登録画面（ユーザ選択方式）は、表示部１１３の表示画面４０１である。表示画面４０１の左側には、地図表示エリアであるエリア１の地図データ２０７が表示されている。また、表示画面４０１の右側には、画像データ１〜Ｎの各アイコンが画像データ１〜Ｎの各ファイル名と共に表示されている。図４では、画像データ２の位置情報Ｌ２が、画像データ管理部１０１で登録済みであるとする。
【００４２】
図４に示すように、ユーザのタッチパネル操作（矢印Ｐ４）により、画像データ２のアイコンがエリア２にドラッグ＆ドロップされると、画像データ２の位置情報に近い位置情報を有する複数のランドマーク１〜Ｎ１から画像データ２の位置情報の代替位置情報となるランドマークを選択するウィンドウ４１１が表示される。つまり、このユーザのタッチパネル操作を行う表示部１１３が指定手段として機能する。例えば、このウィンドウ４１１でランドマーク２のタブ４１２がユーザのタッチパネル操作により選択されると、画像データ２のヘッダ情報に含まれる位置情報は、画像データ管理部１０１により、ユーザのタッチパネル操作により選択されたランドマーク２の位置情報に書き換えられ、この画像データ２の位置情報として登録される。
【００４３】
上述のように、本実施の形態に係る位置情報登録装置１００は、簡単な操作により、画像データの位置情報として、ランドマークの位置情報（代替位置情報）を登録することができる。そのため、本実施の形態に係る位置情報登録装置１００は、画像データの正確な位置情報ではなく、その代わりとなるランドマークの位置情報を画像データの位置情報として利用することができる。なお、代替位置情報は、画像データのアイコンがドロップされた地図データ上の任意の位置を示す位置情報（経度および緯度）でも良い。
【００４４】
図５を参照して、本実施の形態に係る位置情報登録装置１００の動作フロー（位置情報登録フロー１）について説明する。なお、図５に示す位置情報登録フロー１は、画像データの位置情報に代替位置情報であるランドマークの位置情報を登録する動作について説明するものであり、位置情報登録装置１００の動作はこれに限られるものではない。
【００４５】
ステップＳＴ５０１で、ユーザのタッチパネル操作に基づき、地図データ上に位置情報を登録する画像データが選択される。つまり、このユーザのタッチパネル操作を行う表示部１１３が指定手段として機能する。
ステップＳＴ５０３で、画像データ管理部１０１は、ステップＳＴ５０１で選択された画像データのヘッダ情報等に位置情報が含まれているか否かを判断する。画像データに位置情報が含まれている場合には（ＹＥＳの場合）、ステップＳＴ５０５へ遷移し、画像データに位置情報が含まれていない場合には（ＮＯの場合）、ステップＳＴ５０９へ遷移する。
【００４６】
ステップＳＴ５０５で、表示エリア選択部１０５は、画像データに含まれる位置情報に基づき、地図データ記憶部１０９から適当な縮尺の地図データを取得し、表示部１１３に表示する。そして、ステップＳＴ５０７へ遷移する。
ステップＳＴ５０７で、画像データ管理部１０１は、ステップＳＴ５０５で地図データ上に位置登録された画像データの位置情報の精度を粗くするか否かを判断する。ステップＳＴ５０７で位置登録された画像データの位置情報の精度を粗くする場合には（ＹＥＳの場合）、ステップＳＴ５０９へ遷移し、そうでない場合（ＮＯの場合）にはステップＳＴ５１１へ遷移する。
【００４７】
ステップＳＴ５０９（「地図表示エリアの選択」ステップ）では、表示エリア選択部１０５は、画像データの位置情報に基づき、地図データ記憶部１０９から適当な縮尺の地図データを取得して表示部１１３に表示させる。そして、ステップＳＴ５１１へ遷移する。
ステップＳＴ５１１で、表示エリア選択部１０５は、ステップＳＴ５０９で選択した地図データ（「地図表示エリア」）に画像データの登録位置を表示する。そして、ステップＳＴ５１３へ遷移する。
【００４８】
ステップＳＴ５１３で、ユーザのタッチパネル操作（ドラッグ＆ドロップ操作）により、表示部１１３に表示された複数の画像データのアイコンのうち、その位置情報の精度を粗くする画像データのアイコンが、地図データ上のあるエリアの任意の位置にドロップされる。そして、ステップＳＴ５１５へ遷移する。
ステップＳＴ５１５で、位置情報処理部１０３は、（１）画像データのアイコンがドロップされた地図データ上の位置情報（経度および緯度）を算出する処理を実行する。
【００４９】
ステップＳＴ５１７で、位置情報処理部１０３は、ステップＳＴ５１５で算出された画像データの位置情報（経度および緯度）に最も近いランドマークの位置情報を、この画像データの位置情報の替わりとなる代替位置情報として位置情報記憶部１１１から抽出する処理を実行する。なお、ステップＳＴ５１７では、代替位置情報を自動的に抽出する代わりに、画像データの位置情報に近い位置情報を有する複数のランドマークの位置情報から選択した１つのランドマークの位置情報を、この画像データの位置情報の替わりとなる代替位置情報として位置情報記憶部１１１から抽出しても良い（図４参照）。また、ステップＳＴ５１７では、代替位置情報を自動的に抽出する代わりに、ステップＳＴ５１５で算出された画像データの位置情報（経度および緯度）を代替位置情報としても良い。ステップＳＴ５１９で、画像データ管理部１０１は、ステップＳＴ５１７で抽出されたランドマークの位置情報を画像データのヘッダ情報に含まれる位置情報として書き込む。
そして、位置情報登録フロー１の処理を終了する。また、ステップＳＴ５１９では、代替位置情報を自動的に抽出する代わりに、ステップＳＴ５１５で算出された画像データの位置情報（経度および緯度）を代替位置情報として登録しても良い。
【００５０】
（実施の形態１の変形例）
ここで、図１に示す位置情報登録装置１００の変形例として、図６、図７を参照して、位置情報登録装置６００について説明する。図６は、位置情報登録装置６００の構成を示すブロック図である。図６に示す位置情報登録装置６００は、画像データ管理部１０１と、位置情報処理部１０３と、表示エリア選択部１０５と、地図データ記憶部１０９と、位置情報記憶部１１１と、表示部１１３と、アプリケーション部６０１と、通信処理部６０３とを備える。
【００５１】
図６に示す位置情報登録装置６００が実施の形態１の位置情報登録装置１００と異なる点は、アプリケーション部６０１と、通信処理部６０３とを備える点である。この点以外は、実施の形態１に係る位置情報登録装置１００と同様であり、図６において、図１と共通する構成要素には同じ参照符号が付されている。また、図１と共通する構成要素についてはその詳細な説明を省略する。
【００５２】
通信処理部６０３は、外部（たとえば、インターネット）に接続するために、必要な通信処理を行う。外部に接続する方法は、有線または無線のどちらの方法でも良い。
【００５３】
アプリケーション部６０１は、画像データ管理部１０１で管理される画像データを加工して、外部（たとえば、インターネット）に、通信処理部６０３を介して送信する。アプリケーション部６０１は、例えば、メーラやブラウザである。
【００５４】
また、アプリケーション部６０１は、外部に画像データを送信する前に、この画像データに位置情報（経度および緯度）が登録されているか否かを判断する。そして、この画像データに位置情報（例えば、ＧＰＳ情報）が登録されていると判断された場合には、アプリケーション部６０１は、位置情報が画像データに登録済みであることをユーザに知らせるための警告画面を表示部１１３に表示させる。
【００５５】
そして、アプリケーション部６０１は、この警告画面を表示後、この位置情報が登録済みの画像データの位置情報を変更するか否かをユーザに選択させる画面を表示部１１３に表示させる。
【００５６】
さらに、この位置情報が登録済みの画像データの位置情報を変更する場合には、アプリケーション部６０１は、更に、この画像データの位置情報を削除するか否かをユーザに選択させる画面を表示部１１３に表示させる。
【００５７】
画像データの位置情報を削除しない場合には、位置情報登録装置６００は、図５を参照して説明した位置情報登録フロー１を実行する。そして、アプリケーション部６０１は、位置情報登録フロー１により精度を落とした位置情報を有する画像データを外部へ送信することができる。一方、画像データの位置情報を削除する場合には、アプリケーション部６０１は、外部に画像データを送信する前に、画像データのヘッダ情報から位置情報を削除し、通信処理部６０３を介して、位置情報が削除された画像データを外部に送信する。
【００５８】
このように、位置情報登録装置６００は、外部に画像データを送信する前に、位置情報が画像データに登録済みであることをユーザに知らせることができるので、正確な位置情報を有する画像データを誤って外部へ送信することを防ぐことができる。
【００５９】
また、位置情報登録装置６００は、位置情報登録装置１００と同様に、簡単な操作により、画像データの位置情報として、ランドマークの位置情報（代替位置情報）を登録することができる。そのため、本実施の形態に係る位置情報登録装置６００は、画像データの正確な位置情報ではなく、その代わりとなるランドマークの位置情報を画像データの位置情報として利用することができる。
なお、代替位置情報は地図データ上のドロップ位置に一番近いランドマークの位置情報として説明したがこれに限らない。ユーザがこの画像データを地図データ上でドロップした位置を示す位置情報を、代替位置情報として画像データの位置情報に登録しても良い。これにより、簡単なユーザ操作により、画像データの位置情報の精度を落として登録することができる。
【００６０】
図７を参照して、図６に示す位置情報登録装置６００の動作フローについて説明する。なお、図７に示す動作フローでは、ステップＳＴ７０１で、アプリケーション部６０１は、位置情報が含まれると判断された画像データを選択するものとする。
【００６１】
ステップＳＴ７０３では、アプリケーション部６０１は、アプリケーション（例えば、メーラ）選択した画像データを添付する。そして、ステップＳＴ７０５へ遷移する。
ステップＳＴ７０５では、アプリケーション部６０１は、画像データに含まれる登録済みの位置情報を変更するか否かをユーザに選択させる画面を表示部１１３に表示する。画像データに含まれる登録済みの位置情報を変更する場合（ＹＥＳの場合）にはステップＳＴ７０７へ遷移し、そうでない場合（ＮＯの場合）にはステップＳＴ７１１へ遷移する。
【００６２】
ステップＳＴ７０７では、アプリケーション部６０１は、画像データの位置情報を削除するか否かをユーザに選択させる画面を表示部１１３に表示する。そして、画像データの位置情報を削除する場合（ＹＥＳの場合）にはステップＳＴ７１１へ遷移し、そうでない場合（ＮＯの場合）には、ステップＳＴ７０９へ遷移する。
ステップＳＴ７０９では、図５に示す位置情報登録フロー１に沿って処理を実行し、画像データの位置情報の精度を落とす。そして、ステップＳＴ７１１へ遷移する。
【００６３】
ステップＳＴ７１１では、アプリケーション部６０１は、ステップＳＴ７０７で位置情報が削除された画像データ、又はステップＳＴ７０９で精度の落ちた位置情報を有する画像データをアプリケーションに添付する。そして、ステップＳＴ７１３へ遷移する。
ステップＳＴ７１３では、アプリケーション部６０１は、ステップＳＴ７１１でアプリケーションに添付された画像データを外部に送信する。そして、処理が終了する。
【００６４】
（実施の形態２）
実施の形態１およびその変形例では画像データの取得方法までは限定されない。しかし、ユーザが自ら画像データを取得する際に、この取得した画像データの位置情報（ＧＰＳ情報）の精度を落とすか否かをユーザが意図的に設定することも考えられる。
【００６５】
そこで、実施の形態２に係る位置情報登録装置１０００では、撮影された画像データの位置情報（撮影位置情報）の精度を粗くするために、ＧＰＳ装置により算出された自装置の現在位置を示す位置情報に近いランドマークの位置情報を、画像データの位置情報（撮影位置情報）に登録する。
【００６６】
ここで、本実施の形態では、自装置の現在位置を示す位置情報は、撮像手段などにより画像データが撮影された位置であり、以下、撮像位置情報とも言う。また、自装置の現在位置を示す位置情報に近い一又は複数のランドマークの位置情報は、この撮像位置情報の替わりとなる代替位置情報又は代替位置情報の候補となる。
【００６７】
図８を参照して、位置情報登録装置１０００の構成について説明する。図８は位置情報登録装置１０００の構成を示すブロック図である。図８に示す位置情報登録装置１０００は、画像データ管理部１００１と、位置情報処理部１００３と、表示エリア選択部１００５と、撮像処理部１００７と、地図データ記憶部１００９と、位置情報記憶部１０１１と、表示部１０１３と、ＧＰＳ情報処理部１０１５と、ユーザ設定情報部１０１７と、撮像部１０１９とを備える。
【００６８】
撮像部１０１９は、内蔵する撮像素子（ＣＣＤ等）に撮影の対象物を記録する。この撮像素子に記録された対象物の撮像データは撮像処理部１００７へ出力される。
【００６９】
撮像処理部１００７は、撮像部１０１９から入力された撮像データから、所定のフォーマット（例えば、ＪＰＥＧ）で画像データを生成する。作成された画像データは、画像データ管理部１００１に出力される。
ここで、本実施の形態では、画像データとして静止画像データを例にとって説明するが、画像データは動画像データでも良い。
【００７０】
ＧＰＳ情報処理部１０１５は、内蔵するＧＰＳ装置で取得した自装置の現在位置に関するデータに基づき、自装置の現在位置を示す位置情報を算出する。位置情報登録装置１０００の位置情報は、現在位置の経度および緯度で特定される。このＧＰＳ情報処理部１０１５により算出された自装置の現在位置を示す位置情報が撮像位置情報である。
そして、算出された自装置の位置情報は画像データ管理部１００１に出力される。
【００７１】
ユーザ設定情報部１０１７は、撮像位置情報の精度を粗くするか否かを設定するための設定情報（以下、ユーザ設定情報という）を生成する。この撮像位置の精度に関する設定情報は、画像データ管理部１００１に出力される。
【００７２】
画像データ管理部１００１は、ＧＰＳ情報処理部１０１５から入力された位置情報およびユーザ設定情報部１０１７から入力されたユーザ設定情報に基づき、撮像処理部１００７から入力された所定のフォーマットの画像データについて各種の処理を行う。
また、画像データ管理部１００１は、この画像データを保持する。
【００７３】
画像データ管理部１００１は、ＧＰＳ情報処理部１０１５から入力された自装置の位置情報を、撮像処理部１００７から入力された画像データのヘッダ情報に登録する前に、ユーザ設定情報部１０１７から取得したユーザ設定情報に基づき、撮像位置情報の精度を粗くするか否かを判断する。
【００７４】
ユーザ設定情報が撮像位置情報の精度を粗くする旨の情報である場合には、位置情報処理部１００３での撮像位置情報処理のため、画像データ管理部１００１は、ＧＰＳ情報処理部１０１５から入力された自装置の位置情報を位置情報処理部１００３に出力する。その後、画像データ管理部１００１は、撮像処理部１００７から入力された画像データのヘッダ情報に、位置情報処理部１００３で処理された撮像位置情報をこの画像データの位置情報として登録する処理を行う。
【００７５】
一方、ユーザ設定情報が撮像位置情報の精度を粗くしない旨の情報である場合には、画像データ管理部１００１は、ＧＰＳ情報処理部１０１５から入力された自装置の位置情報を、撮像処理部１００７から入力された画像データのヘッダ情報に登録する。画像データのヘッダ情報に登録された位置情報は、表示エリア選択部１００５により参照される。なお、画像データのヘッダ情報に画像データの位置情報を登録した後でも、この登録済みの位置情報に近いランドマークの位置情報を登録することも可能である。この位置情報登録方法は後述する。
【００７６】
＜撮像位置情報の設定＞
ユーザ設定情報が撮像位置情報の精度を粗くする旨の情報である場合には、位置情報処理部１００３はＧＰＳ情報処理部１０１５により算出された自装置の位置情報を画像データ管理部１００１から取得する。このＧＰＳ情報処理部１０１５により算出された自装置の現在位置を示す位置情報が撮像位置情報である。
そして、位置情報処理部１００３は、この撮像位置情報に最も近いランドマークの位置情報を、この撮像位置情報の替わりとなる代替位置情報として、位置情報記憶部１０１１から抽出する処理を実行する。そして、位置情報処理部１００３は、この抽出した代替位置情報を画像データに関連づけて、画像データ管理部１００１へ出力する。
【００７７】
また、位置情報処理部１００３は、この撮像位置情報が示す位置の近くにランドマークが複数ある場合には、この撮像位置情報が示す位置の近くに存在する複数のランドマークの位置情報を、この撮像位置情報の替わりとなる代替位置情報の候補として位置情報記憶部１０１１から抽出する処理を実行しても良い。この場合には、位置情報処理部１００３は、図９に示す撮像位置情報登録画面において、これら複数のランドマークの位置情報を代替位置情報の候補として表示するよう表示部１０１３を制御する。
【００７８】
ここで、図９を参照して、撮像位置情報の近傍にランドマークが複数ある場合の位置情報登録方法について説明する。なお、図９に示す画像データには位置情報が登録されていないものとする。
図９に示す撮像位置情報登録画面１は、表示部１０１３の表示画面９０１である。表示画面９０１の左側には、撮像部１０１９、および撮像処理部１００７での処理により生成された画像データＮが表示されている。また、表示画面９０１の右側には、ウィンドウ９１１が表示される。
【００７９】
図９に示すランドマークＮ１〜Ｎｋの位置情報が示す位置が、この撮像位置情報が示す位置に近い位置である。そして、これらランドマークＮ１〜Ｎｋの位置情報が撮像位置情報の替わりとなる代替位置情報の候補である。
【００８０】
図９に示すウィンドウ９１１は、撮像位置情報が示す位置に近い複数のランドマークＮ１〜Ｎｋから、画像データＮの位置情報として登録するための代替位置情報を有する１つのランドマークを選択するためのウィンドウである。
【００８１】
図９に示すように、このウィンドウ９１１でランドマークＮｋを示すタブ９１２がタッチパネル操作により選択される。つまり、このランドマークＮｋを示すタブ９１２を選択するタッチパネル操作が実行される表示部１０１３が指定手段として機能する。そして、位置情報処理部１００３により、この選択されたランドマークＮｋの位置情報が画像データＮのヘッダ情報に含まれる位置情報として登録される。この選択されたランドマークＮｋの位置情報が、画像データＮの位置情報の代わりとなる代替位置情報である。さらに、画像データ管理部１００１により、この書き換えられたランドマークＮｋの位置情報が、画像データＮの位置情報に代替位置情報として登録される。
【００８２】
一方、ユーザ設定情報が撮像位置情報の精度を粗くしない旨の情報である場合には、画像データ管理部１００１により、ＧＰＳ情報処理部１０１５から入力された自装置の位置情報が、撮像処理部１００７から入力された画像データのヘッダ情報に登録されるが、この登録後であっても、画像データの位置情報を地図データ上で登録することができる。以下のこの方法（ユーザ選択式）について、図１０を参照して説明する。
【００８３】
図１０に示す撮像位置情報登録画面２（ユーザ選択式）は、表示部１０１３の表示画面１１０１である。表示画面１１０１の左側には、エリア２の地図データ１１０９が表示されている。また、表示画面１１０１の右側には、画像データＮのアイコンが画像データＮのファイル名と共に表示されている。
【００８４】
ここで、図１０では、撮像された画像データは、画像データＮであり、この画像データＮがＧＰＳ情報処理部１０１５で算出された位置情報（撮像位置情報）で撮像されたものとする。また、図１０に示すエリア２は、表示エリア選択部１００５により算出された、画像データＮの地図表示エリアであるとする。
【００８５】
図１０に示すように、ユーザのタッチパネル操作（矢印Ｐ５）により、画像データＮのアイコンが、地図データのエリア２の中でユーザが所望する位置にドラッグ＆ドロップされる。その後、このドロップされたエリア２上の位置に近い位置情報を有する複数のランドマークＮ１〜Ｎｋから、画像データＮの位置情報として登録する位置情報を有する１つのランドマークを選択するウィンドウ１１１１が表示される。つまり、このユーザのタッチパネル操作を行う表示部１０１３が指定手段として機能する。
【００８６】
例えば、このウィンドウ１１１１でランドマークＮ１がタッチパネル操作により選択されると、位置情報処理部１００３により、画像データＮのヘッダ情報に含まれる位置情報が、選択されたランドマークＮ１の位置情報に書き換えられる。そして、画像データ管理部１００１により、この書き換えられたランドマークＮ１の位置情報が、画像データＮの位置情報に登録される。このように、画像データに位置情報が登録後であっても、地図データ上で位置情報を変更することができる。
【００８７】
表示エリア選択部１００５は、画像データのヘッダ情報に登録された位置情報（撮像位置情報）に基づき、表示部１０１３に画像データの位置情報を表示するための地図表示エリアを算出し、地図データ記憶部１００９からこの地図表示エリアに対応する地図データを抽出する。この抽出された地図データは、表示部１０１３に表示される。
【００８８】
また、表示エリア選択部１００５は、ユーザのタッチパネル操作により、表示部１０１３に表示された地図データの縮尺が変更された場合には、縮尺の変更に応じた地図データを地図データ記憶部１００９から抽出する。この抽出された地図データは、表示部１０１３に表示される。
【００８９】
地図データ記憶部１００９は、地図データを保存する。
【００９０】
位置情報記憶部１０１１は、一又は複数のランドマークの位置情報を保持する。このランドマークの位置情報（経度および緯度）は、画像データのヘッダ情報に登録される位置情報（撮像位置情報）の替わりとなる代替位置情報又はこの代替位置情報の候補となる。
【００９１】
表示部１０１３は、タッチパネルで構成される。つまり、表示部１０１３は、各部を操作するためのアイコンなどのユーザインターフェースを提供する出力インターフェースと、各部を操作するための各種の入力インターフェースとを備える。表示部１０１３は、ユーザのタッチパネル操作に応じた出力インターフェースを提供する。本実施の形態では、ユーザのタッチパネル操作を行う表示部１０１３が指定手段として機能する。
【００９２】
表示部１０１３は、例えば、図９，１０に示す撮像位置情報登録画面１，２を表示する。表示部１０１３は、表示エリア選択部１００５により抽出された地図データを表示し、この地図データ上に画像データのアイコンをドラッグ＆ドロップさせる。また、表示部１０１３は、この抽出された地図データと同時に、画像データ管理部１０１が管理する画像データのアイコンをそのファイル名と共に一覧表示する。
【００９３】
図１１を参照して、本実施の形態に係る位置情報登録装置１０００の動作フローについて説明する。なお、図１１に示す位置情報登録フロー２は、撮影された画像データの位置情報にランドマークの位置情報を登録する動作について説明するものであり、位置情報登録装置１０００の動作はこれに限られるものではない。
【００９４】
ステップＳＴ１１０１では、撮像処理部１００７により、撮像部１０１９から入力された撮像データから、所定のフォーマット（例えば、ＪＰＥＧ）で画像データが生成される。そして、ステップＳＴ１１０３へ遷移する。
ステップＳＴ１１０３では、ＧＰＳ情報処理部１０１５により、自装置の現在位置を示す位置情報（経度および緯度）が算出される。そして、ステップＳＴ１１０５へ遷移する。
【００９５】
ステップＳＴ１１０５では、画像データ管理部１００１は、ＧＰＳ情報処理部１０１５で算出された位置情報をＧＰＳ情報処理部１０１５から取得する。そして、ステップＳＴ１１０７へ遷移する。
ステップＳＴ１１０７では、画像データ管理部１００１は、ユーザ設定情報部１０１７からユーザ設定情報を取得する。そして、ステップＳＴ１１０９へ遷移する。
【００９６】
ステップＳＴ１１０９では、画像データ管理部１００１は、ユーザ設定情報部１０１７から取得したユーザ設定情報に基づき、撮像位置情報の精度を粗くするか否かを判断する。撮像位置情報の精度を粗くすると判断された場合（ＹＥＳの場合）にはステップＳＴ１１１１へ遷移し、そうでない場合（ＮＯの場合）には、ステップＳＴ１１１３へ遷移する。
【００９７】
ステップＳＴ１１１１では、位置情報処理部１００３は、撮像位置情報に最も近いランドマークの位置情報を、この撮像位置情報の替わりとなる代替位置情報として、位置情報記憶部１０１１から抽出する処理を実行する。
なお、ステップＳＴ１１１１では、位置情報処理部１００３は、撮像位置情報に近い複数のランドマークの位置情報を、この撮像位置情報の替わりとなる代替位置情報の候補として、位置情報記憶部１０１１から抽出し、これら代替位置情報の候補を表示部１０１３に表示して、代替位置情報をユーザのタッチパネル操作により選択させてもよい（図９参照）。
【００９８】
ステップＳＴ１１１３では、画像データ管理部１００１は、位置情報処理部１００３により抽出されたランドマークの位置情報を、この画像データの位置情報に登録する。そして、図１１に示す位置情報登録フロー２が終了する。
【００９９】
上述のように、本実施の形態に係る位置情報登録装置１０００は、画像データの位置情報である撮像位置情報を、（ａ）この撮像位置情報の最も近くにあるランドマークの位置情報に書き換える、もしくは、（ｂ）この撮像位置情報の近くにある一又は複数のランドマークの位置情報から選択された１つのランドマークの位置情報に書き換えて登録する。これにより、本実施の形態に係る位置情報登録装置１０００は、撮影された画像データの位置情報の精度を粗くすることができる。そのため、位置情報登録装置１０００は、画像データの位置情報の精度を落として登録することができる。
【０１００】
（実施の形態２の変形例）
ここで、図８に示す位置情報登録装置１０００変形例として、図１２から図１４を参照して、位置情報登録装置１３００について説明する。図１２は、位置情報登録装置１３００の構成を示すブロック図である。図１２に示す位置情報登録装置１３００は、画像データ管理部１００１と、位置情報処理部１００３と、表示エリア選択部１００５と、撮像処理部１００７と、地図データ記憶部１００９と、位置情報記憶部１０１１と、表示部１０１３と、ＧＰＳ情報処理部１０１５と、ユーザ設定情報部１０１７と、撮像部１０１９と、アプリケーション部１３０１と、通信処理部１３０３とを備える。
【０１０１】
図１２に示す位置情報登録装置１３００が実施の形態２の位置情報登録装置１０００と異なる点は、アプリケーション部１３０１と、通信処理部１３０３とを備える点である。この点以外は、実施の形態２に係る位置情報登録装置１０００と同様であり、図１３において、図８と共通する構成要素には同じ参照符号が付されている。また、図８と共通する構成要素についてはその詳細な説明を省略する。
【０１０２】
通信処理部１３０３は、外部（たとえば、インターネット）に接続するために、必要な通信処理を行う。外部に接続する方法は、有線または無線のどちらの方法でも良い。
【０１０３】
アプリケーション部１３０１は、画像データ管理部１００１で管理される画像データを加工して、外部（たとえば、インターネット）に、通信処理部１３０３を介して送信する。アプリケーション部１３０１は、例えば、メーラやブラウザである。
【０１０４】
また、アプリケーション部１３０１は、外部に画像データを送信する前に、この画像データに位置情報（経度および緯度）が登録されているか否かを判断する。そして、この画像データに位置情報（例えば、ＧＰＳ情報）が登録されていると判断された場合には、アプリケーション部１３０１は、たとえば図１３（ａ）に示すように、外部に画像データを送信する前に、表示部１０１３のメール送信画面１４０１で、位置情報が画像データに登録済みである旨をユーザに知らせるための警告画面１４０３を表示する。
【０１０５】
そして、この警告画面１４０３が表示された後、アプリケーション部１３０１は、たとえば図１３（ｂ）に示すように、表示部１０１３のメール送信画面１４０１で、この位置情報が登録済みの画像データの位置情報を変更するか否かをユーザに選択させる画面１４０５を表示部１０１３に表示させる。
【０１０６】
さらに、この位置情報が登録済みの画像データの位置情報を変更する場合には、アプリケーション部１３０１は、たとえば図１３（ｂ）に示すように、この画像データの位置情報を削除するか否かをユーザに選択させる画面１４０７を表示部１０１３に表示させる。
【０１０７】
そして、この画像データの位置情報を削除しない場合には、位置情報登録装置１３００は、図１１を参照して説明した位置情報登録フロー２を実行する。そして、アプリケーション部１３０１は、図１１に示す位置情報登録フロー２により、その精度を落とした位置情報を有する画像データを外部へ送信することができる。一方、この画像データの位置情報を削除する場合には、アプリケーション部１３０１は、外部に画像データを送信する前に、この画像データのヘッダ情報から位置情報を削除して、通信処理部１３０３を介して、位置情報が削除された画像データを外部に送信する。
【０１０８】
このように、本実施の形態の変形例に係る位置情報登録装置１３００は、外部に画像データを送信する前に、位置情報が画像データに登録済みであることをユーザに知らせることができるので、精度の高い位置情報を有する画像データを誤って外部へ送信することを防ぐことができる。
【０１０９】
また、本実施の形態の変形例に係る位置情報登録装置１３００は、位置情報登録装置１０００と同様、画像データの位置情報である撮像位置情報を、この撮像位置情報の近くにあるランドマークの位置情報に書き換えることで、撮影された画像データの位置情報の精度を粗くすることができる。そのため、位置情報登録装置１３００は、画像データの位置情報の精度を落として登録することができる。
【０１１０】
図１４を参照して、図１２に示す位置情報登録装置１３００の動作フローについて説明する。なお、図１４に示す動作フローでは、ステップＳＴ１４０１で、アプリケーション部１３０１は、位置情報が含まれると判断された画像データを選択するものとする。
【０１１１】
ステップＳＴ１４０３では、アプリケーション部１３０１は、アプリケーション（例えば、メーラ）選択した画像データを添付する。そして、ステップＳＴ１４０５へ遷移する。
ステップＳＴ１４０５では、アプリケーション部１３０１は、画像データに含まれる登録済みの位置情報を変更するか否かをユーザに選択させる画面を表示部１０１３に表示する。画像データに含まれる登録済みの位置情報を変更する場合（ＹＥＳの場合）にはステップＳＴ１４０７へ遷移し、そうでない場合（ＮＯの場合）にはステップＳＴ１４１１へ遷移する。
【０１１２】
ステップＳＴ１４０７では、アプリケーション部１３０１は、画像データの位置情報を削除するか否かをユーザに選択させる画面を表示部１０１３に表示する。そして、画像データの位置情報を削除する場合（ＹＥＳの場合）にはステップＳＴ１４１１へ遷移し、そうでない場合（ＮＯの場合）には、ステップＳＴ１４０９へ遷移する。
ステップＳＴ１４０９では、図１１に示す位置情報登録フロー２に沿って処理を実行し、画像データの位置情報の精度を落とす。そして、ステップＳＴ１４１１へ遷移する。
【０１１３】
ステップＳＴ１４１１では、アプリケーション部１３０１は、ステップＳＴ１４０７で位置情報が削除された画像データ、又はステップＳＴ１４０９で精度の落ちた位置情報を有する画像データをアプリケーションに添付する。そして、ステップＳＴ１４１３へ遷移する。
ステップＳＴ１４１３では、アプリケーション部１３０１は、ステップＳＴ１４１１でアプリケーションに添付された画像データを外部に送信する。そして、処理が終了する。
【０１１４】
なお、実施の形態２およびその変形例において、位置情報登録装置は、撮像手段として、撮像部１０１９と撮像処理部１００７とを備える構成として説明したが、これに限らず。外部装置として、撮像部１０１９と撮像処理部１００７を備える構成でも良い。
【０１１５】
なお、上記各実施の形態に係る位置情報登録装置の構成は、各図（図１、図６、図８、図１２）に示すように機能的に見たブロックとして説明しているが、これらの機能ブロックは、ハードウェア的には、半導体チップまたはＩＣにより実現することもできるし、例えばコンピュータとソフトウェア（コンピュータプログラム）とを用いて実現することもできる。
【産業上の利用可能性】
【０１１６】
本発明に係る位置情報登録装置は、簡単な操作で位置情報の精度を落として画像データを登録するという効果を有し、携帯端末等の電子機器として有用である。
【符号の説明】
【０１１７】
１００                    位置情報登録装置
１０１                    画像データ管理部
１０３                    位置情報処理部
１０５                    表示エリア選択部
１０９                    地図データ記憶部
１１１                    位置情報記憶部
１１３                    表示部
６００                    位置情報登録装置
６０１                    アプリケーション部
６０３                    通信処理部
１０００                  位置情報登録装置
１００１                  画像データ管理部
１００３                  位置情報処理部
１００５                  表示エリア選択部
１００７                  撮像処理部
１００９                  地図データ記憶部
１０１１                  位置情報記憶部
１０１３                  表示部
１０１５                  ＧＰＳ情報処理部
１０１７                  ユーザ設定情報部
１０１９                  撮像部
１３００                  位置情報登録装置
１３０１                  アプリケーション部
１３０３                  通信処理部
【図１】
2013084104.tif 000003
【図２】
2013084104.tif 000004
【図３】
2013084104.tif 000005
【図４】
2013084104.tif 000006
【図５】
2013084104.tif 000007
【図６】
2013084104.tif 000008
【図７】
2013084104.tif 000009
【図８】
2013084104.tif 000010
【図９】
2013084104.tif 000011
【図１０】
2013084104.tif 000012
【図１１】
2013084104.tif 000013
【図１２】
2013084104.tif 000014
【図１３】
2013084104.tif 000015
【図１４】
2013084104.tif 000016